(57)【要約】本発明はリアルネームを利用したウェブページ接続システム及びその方法を開示する。本発明では、ネームサーバー管理システムを通じて接続するクライアントから入力されるキーワードがリアルネームであるか否かを判断し、キーワードがリアルネームである場合には、検索サーバーに提供する指定キーワードであるか否かを判断し、判断の結果、キーワードが指定キーワードである場合には、複数の検索サーバーのうちの一つの検索サーバーに前記キーワードを提供して、前記検索サーバーがキーワードに該当する検索情報を前記クライアントに提供するようにする。しかし、キーワードが指定キーワードではない場合には、前記キーワードに対応するネットワークアドレスをクライアントに提供して、クライアントがネットワークアドレスに該当するウェブページに接続するようにする。このような本発明によれば、クライアントはキーワードを１度入力するだけで、キーワードの特性によって該当ウェブページに直ちに接続したり、キーワードに該当する様々な検索情報の提供が受けられ、これにより、接続しようとするウェブページに正確に接続することができる。【選択図】図１
2005503613.tif 000002
【特許請求の範囲】
【請求項１】
ネットワークを通じて複数のクライアントと連結されており、前記ネットワーク上の特定のウェブページにクライアントを接続させるウェブページ接続システムにおいて、
指定キーワードが保存されているキーワードデータベース；
ネットワークアドレス及びリアルネームが互いにマッチングされて保存されているリアルネームデータベース；
前記クライアントから入力されるキーワードがリアルネームであり指定キーワードである場合には、一つの検索サーバーに前記キーワードを提供して、前記検索サーバーがキーワードに該当する検索情報をクライアントに提供するようにする処理サーバー；
前記キーワードがリアルネームであり指定キーワードではない場合には、前記キーワードに基づいて前記リアルネームデータベースを検索して対応するネットワークアドレスを探し、前記ネットワークアドレスを前記クライアントに提供して、前記クライアントが前記ネットワークアドレスに該当するウェブページに接続するようにするリアルネームサーバー；を含む、ウェブページ接続システム。
【請求項２】
ネットワークを通じて複数のクライアントと連結されており、ネームサーバー管理システムを通じて接続するクライアントをネットワーク上の特定のウェブページに接続させるウェブページ接続システムにおいて、
指定キーワードが保存されているキーワードデータベース；
ネットワークアドレス及びリアルネームが互いにマッチングされて保存されているリアルネームデータベース；
ネームサーバー管理システム別に検索サーバー情報が保存されているネームサーバー管理システムデータベース；
前記クライアントから入力されるキーワードがリアルネームであり指定キーワードである場合には、前記ネームサーバー管理システムデータベースから前記クライアントが経由したネームサーバー管理システムに対応する検索サーバーを選択し、前記選択された検索サーバーに前記キーワードを提供して、前記検索サーバーがキーワードに該当する検索情報をクライアントに提供するようにする処理サーバー；
前記キーワードがリアルネームであり指定キーワードでない場合には、前記キーワードに基づいて前記リアルネームデータベースを検索して対応するネットワークアドレスを探し、前記ネットワークアドレスを前記クライアントに提供して、前記クライアントが前記ネットワークアドレスに該当するウェブページに接続するようにするリアルネームサーバー；を含む、ウェブページ接続システム。
【請求項３】
前記ネームサーバー管理システムは、クライアントから入力されるキーワードがリアルネームであるか否かを判断するネームサーバーを含み、前記ネームサーバーは、入力されるキーワードがリアルネームである場合には、前記キーワードを前記処理サーバーに提供する、請求項２に記載のウェブページ接続システム。
【請求項４】
前記処理サーバーは、クライアントのＩＰアドレスによって前記クライアントが経由したネームサーバー管理システムを判別し、判別されたネームサーバー管理システムに対応する検索サーバーに指定キーワードを提供する、請求項２に記載のウェブページ接続システム。
【請求項５】
前記検索サーバーは、前記キーワードに該当する検索情報と共に前記キーワードを示す検索結果ページを前記クライアントに提供して、前記クライアントが前記キーワードをクリックすれば、前記リアルネームサーバーにネットワークアドレスを要請し、
前記リアルネームサーバーは、前記リアルネームデータベースから前記キーワードに対応するネットワークアドレスを探して検索サーバーに提供して、前記クライアントがネットワークアドレスに該当するウェブページに接続するようにすることを特徴とする、請求項1または請求項２に記載のウェブページ接続システム。
【請求項６】
前記処理サーバーは、ネットワークを通じて接続するクライアントにキーワード入力ウィンドウを提供し、前記キーワード入力ウィンドウを通じて前記クライアントからキーワードが入力されれば、前記キーワードをリアルネームサーバーに提供して、リアルネームであるか否かを判断させる、請求項１または請求項２に記載のウェブページ接続システム。
【請求項７】
前記クライアントは、キーワード入力動作をチェックし、入力されたキーワードを前記処理サーバーに提供するアプリケーションプログラムを含む、請求項１または請求項２に記載のウェブページ接続システム。
【請求項８】
前記クライアントは、ウェブブラウザーを通じて前記処理サーバーにキーワードを提供する、請求項１または請求項２に記載のウェブページ接続システム。
【請求項９】
ネットワークを通じて複数のクライアント及び検索サーバーと連結されており、ネームサーバー管理システムを通じて接続するクライアントをネットワーク上の特定のウェブページに接続させるシステムのウェブページ接続方法において、
前記クライアントから入力されるキーワードがリアルネームであるか否かを判断する第１段階；
前記キーワードがリアルネームである場合には、指定キーワードであるか否かを判断する第２段階；
前記キーワードが指定キーワードである場合には、複数の検索サーバーのうちの一つの検索サーバーに前記キーワードを提供して、前記検索サーバーがキーワードに該当する検索情報を前記クライアントに提供するようにする第３段階；及び
前記キーワードが指定キーワードでない場合には、前記キーワードに対応するＩＰアドレスを前記クライアントに提供して、前記クライアントがＩＰアドレスに該当するウェブページに接続するようにする第４段階；を含む、ウェブページ接続方法。
【請求項１０】
前記クライアントが経由したネームサーバー管理システムを判別する第５段階をさらに含み、
前記第３段階で、前記クライアントが経由したネームサーバー管理システムに対応する検索サーバーに前記キーワードを提供することを特徴とする、請求項９に記載のウェブページ接続方法。
【請求項１１】
前記第５段階は、クライアントのＩＰアドレスによって前記クライアントが経由したネームサーバー管理システムを判別することを特徴とする、請求項９に記載のウェブページ接続方法。
【発明の詳細な説明】
【技術分野】
【０００１】
本発明は、リアルネームを利用したウェブページ接続システム及びその方法に関し、さらに詳細には、英語の他にも韓国語やその他の外国語などからなるリアルネームを利用してネットワーク上の該当ウェブページに接続することができるウェブページ接続システム及びその方法に関する。
【背景技術】
【０００２】
インターネットとは、単純にいくつかのコンピュータが集まったものではなく、互いに異なる多種のコンピュータネットワークが互いに連結されて形成された巨大な連結網であり、このようなインターネットに連結された各コンピュータには、お互いを識別するために物理的な住所であるＩＰ（internet protocol）アドレスが割り当てられている。
【０００３】
しかし、このような物理的な住所は、２５５を超えない数字からなる四つのグループから構成され（例えば、１３４.７８.２３８.９９）、使用者にとってこのような数字列を記憶するのは非常に難しく、インターネットに連結された特定のコンピュータに接続する度にこのようなＩＰアドレスを一々記入するのは大変面倒なことである。
【０００４】
したがって、一般には、物理的な住所を直接利用して各コンピュータに接続する代わりに、ＩＰアドレスを記憶しやすい文字列の組み合わせと一対一で対応させて、使用者が文字列を入力すれば該当するＩＰアドレスを有するコンピュータに自動的に連結されるようにする方式が採用されている。このようにＩＰアドレスの代わりに用いられる文字の組み合わせをドメインネーム（domain name）という。
【０００５】
一方、最近多く利用されているウェブホスティングサービス（webhosting service）、つまりドメインネームに対応する実質的なホストコンピューターは有していないがドメインネームの登録を受けようとする者に自身のホストコンピューターを使って登録が受けられるようにするサービスを提供する業者を利用してドメインネームを登録する場合には、ＩＰアドレスに対して一つ以上のドメインネームが対応していることがある。
【０００６】
このように、ドメインネームとは、インターネットに連結されたコンピュータのインターネット上での住所を示すもので、一般にそのコンピュータの特性または地理的な位置などを表示する識別字から構成される。例えば、電子メールの住所である“james＠ABC.co.kr”の“ABC.co.kr”が実質的なドメインネームであり、ＩＰ住所の体系であるＵＲＬ（uniform resource location）では“http://www.ABC.co.kr”の“ABC.co.kr”が実質的なドメインネームになる。そして、インターネットに連結されたコンピュータが提供する様々な情報の住所を示すＵＲＬ、例えば“http//www.internic.net/index.html”では“internic.net”がドメインネームになり、“index.html”は該当情報が保存されているディレクトリを含むファイルネームになる。
【０００７】
したがって、各コンピュータのＩＰアドレスの代わりにドメインネームを使用するためには、各コンピュータのＩＰアドレスとドメインネームとを対応させる機能を行う別途の装置が要求され、このような要求により、インターネットに連結された各コンピュータは前記機能を行うコンピュータシステム、つまりドメインネームサーバー（domain name server、ＤＮＳ）と係わりを持っている。
【０００８】
一般に、クライアントがインターネットの特定のコンピュータに接続するために該当コンピュータのドメインネーム、例えば“def.co.kr”に対するＩＰアドレスの確認を設定されたドメインネームサーバーに要請すれば、ドメインネームサーバーは、ＩＰアドレスを管轄する登録機関のサーバーに入力されるドメインネームに該当するＩＰアドレスを問い合わせ、登録機関のサーバーから提供されるＩＰアドレスをクライアントにリターンし、これによりクライアントは該当ＩＰアドレスを有するコンピュータに接続する。
【０００９】
前述のように、インターネット上の特定のコンピュータに接続するためには、該当ドメインネームを知っている必要がある。しかし、一般に、ドメインネームは、一定の規則によって作られたアルファベットの組み合わせからなるため、韓国や日本、中国など非英語圏の国民は英語圏の国民に比べて相対的にドメインネームを記憶するのが難しいという短所がる。
【００１０】
このため、最近は、自国語のドメインネームを利用してクライアントを該当ウェブページに接続させるシステムが開発され、使用者がウェブブラウザー等において既存のドメインネーム形式ではなく該当ウェブページが実際に自国語で呼ばれているリアルネームを入力することにより、該当ウェブページにクライアントを接続させるサービスが行われている。
【００１１】
しかし、従来のウェブページ接続システムでは、クライアントが意図しないウェブページに接続されるエラーが発生し、使用者が意図するウェブページに接続するためにはキーワードを繰り返し入力しなければならず、エラーが発生する度にウェブページへの接続を数回繰り返さなければならない短所があった。
【発明の開示】
【発明が解決しようとする課題】
【００１２】
本発明が目的とする技術的課題は、リアルネームを利用してクライアントが接続しようとするウェブページに正確にクライアントを接続させるウェブページ接続システム及びその方法を提供することにある。
【００１３】
ここで、ウェブページとは、ＷＷＷの他にも、Ｅメール、ＦＴＰ（file transfer protocol）、テルネット（telnet）など全てのネットワーク基盤のサービスを提供するサーバーをいう。
【課題を解決するための手段】
【００１４】
このような技術的課題を達成するための本発明の特徴によるリアルネームを利用したウェブページ接続システムは、ネットワークを通じて複数のクライアントと連結されており、前記ネックワーク上の特定のウェブページにクライアントを接続させ、指定キーワードが保存されているキーワードデータベース；ネットワークアドレス及びリアルネームが互いにマッチングされて保存されているリアルネームデータベース；前記クライアントから入力されるキーワードがリアルネームであり指定キーワードである場合には、一つの検索サーバーに前記キーワードを提供して、前記検索サーバーがキーワードに該当する検索情報をクライアントに提供するようにする処理サーバー；前記キーワードがリアルネームであり指定キーワードでない場合には、前記キーワードに基づいて前記リアルネームデータベースを検索して対応するネットワークアドレスを探し、前記ネットワークアドレスを前記クライアントに提供して、前記クライアントが前記ネットワークアドレスに該当するウェブページに接続するようにするリアルネームサーバー；を含む。
【００１５】
本発明の他の特徴によるリアルネームを利用したウェブページ接続システムは、ネットワークを通じて複数のクライアントと連結されており、ネームサーバー管理システムを通じて接続するクライアントをネットワーク上の特定のウェブページに接続させ、指定キーワードが保存されているキーワードデータベース；ネットワークアドレス及びリアルネームが互いにマッチングされて保存されているリアルネームデータベース；ネームサーバー管理システム別に検索サーバー情報が保存されているネームサーバー管理システムデータベース；前記クライアントから入力されるキーワードがリアルネームであり指定キーワードである場合には、前記ネームサーバー管理システムデータベースから前記クライアントが経由したネームサーバー管理システムに対応する検索サーバーを選択し、前記選択された検索サーバーに前記キーワードを提供して、前記検索サーバーがキーワードに該当する検索情報をクライアントに提供するようにする処理サーバー；前記キーワードがリアルネームであり指定キーワードでない場合には、前記キーワードに基づいて前記リアルネームデータベースを検索して対応するネットワークアドレスを探し、前記ネットワークアドレスを前記クライアントに提供して、前記クライアントが前記ネットワークアドレスに該当するウェブページに接続するようにするリアルネームサーバー；を含む。
【００１６】
前記ネームサーバー管理システムは、クライアントから入力されるキーワードがリアルネームであるか否かを判断するネームサーバーを含み、前記ネームサーバーは、入力されるキーワードがリアルネームである場合には、前記キーワードを前記処理サーバーに提供して処理されるようにする。特に、処理サーバーは、クライアントのＩＰアドレスによって前記クライアントが経由したネームサーバー管理システムを判別し、判別されたネームサーバー管理システムに対応する検索サーバーに指定キーワードを提供する。
【００１７】
このような本発明の特徴によるリアルネームを利用した接続システムにおいて、前記検索サーバーは、前記キーワードに該当する検索情報と共に前記キーワードを示す検索結果ページを前記クライアントに提供して、前記クライアントが前記キーワードをクリックすれば、前記リアルネームサーバーにネットワークアドレスを要請し、前記リアルネームサーバーは、前記リアルネームデータベースから前記キーワードに対応するネットワークアドレスを探して検索サーバーに提供して、前記クライアントがネットワークアドレスに該当するウェブページに接続するようにする。
【００１８】
この他にも、本発明の特徴によるリアルネームを利用した接続システムは、ネットワークを通じて接続するクライアントにキーワード入力ウィンドウを提供するウェブサーバーをさらに含み、前記ウェブサーバーは、前記キーワード入力ウィンドウを通じて前記クライアントからキーワードが入力されれば、前記キーワードをリアルネームサーバーに提供して、リアルネームであるか否かを判断させる。
【００１９】
ここで、クライアントは、様々な方法でキーワードが処理サーバーに提供されるようにすることができ、具体的には、前記クライアントは、キーワード入力動作をチェックし、入力されたキーワードを前記処理サーバーに提供するアプリケーションプログラムを含むことができ、さらに、クライアントは、ウェブブラウザーを通じて前記処理サーバーにキーワードを提供することができる。
【００２０】
また、本発明の他の特徴によるリアルネームを利用したウェブページ接続方法は、ネットワークを通じて複数のクライアントと連結されており、ネームサーバー管理システムを通じて接続するクライアントをネットワーク上の特定のウェブページにクライアントを接続させるシステムのウェブページ接続方法であって、前記クライアントから入力されるキーワードがリアルネームであるか否かを判断する第１段階；前記キーワードがリアルネームである場合には、指定キーワードであるか否かを判断する第２段階；前記キーワードが指定キーワードである場合には、複数の検索サーバーのうちの一つの検索サーバーに前記キーワードを提供して、前記検索サーバーがキーワードに該当する検索情報を前記クライアントに提供するようにする第３段階；及び前記キーワードが指定キーワードでない場合には、前記キーワードに対応するＩＰアドレスを前記クライアントに提供して、前記クライアントがＩＰアドレスに該当するウェブページに接続するようにする第４段階；を含む。
【００２１】
この他にも、前記クライアントが経由したネームサーバー管理システムを判別する第５段階をさらに含むことができ、この場合には、第３段階で、前記クライアントが経由したネームサーバー管理システムに対応する検索サーバーに前記キーワードを提供する。特に、第５段階で、クライアントのＩＰアドレスによって前記クライアントが経由したネームサーバー管理システムを判別することができる。
【発明の効果】
【００２２】
本発明の実施例によるウェブページ接続システムによれば、クライアントは、キーワードを１度入力するだけで、キーワードの特性に応じた該当ウェブページに直ちに接続したり、キーワードに該当する様々な検索情報の提供を受けることができる。
【００２３】
したがって、検索情報の提供を受けようとする場合にも、別途に検索サーバーへの接続が不要で、さらにキーワードの特性によって最大のヒット率を提供する検索サーバーを通じて正確な情報の提供を受けることができる。
【００２４】
そして、クライアントが検索情報によって接続するウェブページを選択することができるので、最少の段階を経て所望のウェブページに接続することができる。
【００２５】
また、検索サーバー側では、ネームサーバー管理システムネームサーバーの使用者を検索利用者として確保することができるので、検索サーバーのページビュー（page view）やバナー広告ビューなどの増加により、多くの収益を得ることができる。
【００２６】
さらに、業務を提携した複数のサイトを通じてもリアルネームを利用したウェブページ接続サービスが行われるので、使用者は、特定のサイトに限定されることなく複数のサイトを通じて容易で速かな接続サービスを受けることができる。
【発明を実施するための最良の形態】
【００２７】
以下、本発明の属する技術分野における通常の知識を有する者が本発明を容易に実施できるように、添付した図面を参照して最も好ましい実施例について詳細に説明する。
【００２８】
本発明の実施例によるリアルネームを利用したウェブページ接続システムは、インターネット上に登録されている全てのインターネットアドレスに対応して韓国語、英語、それ以外の外国語または数字、記号などからなるリアルネームを別途に設定して、リアルネームを利用したウェブページへの接続を可能にする。ここで、リアルネームとは、既存のドメインネームの形式からならない全てのものを示す。
【００２９】
以下、説明の便宜のために、既存のドメインネームやファイルネームなどのＵＲＬを“英文ドメインネーム”といい、既存のドメインネームに対してインターネットアドレスの確認サービスを提供するサーバーを“ドメインネームサーバー”といい、特定のウェブページに接続するためにクライアントが入力する文字列を“キーワード”という。したがって、キーワードは、ドメインネームとしての英文ドメインネーム及びリアルネームを全て含む。そして、本発明の実施例において、“リアルネーム”は、会社名、商号またはサービス標などの実際の名称を示すが、これに限定されない。そしてインターネット上の特定のウェブページのＩＰアドレス及びＵＲＬを含めてインターネットアドレスという。
【００３０】
本発明によるウェブページ接続システムは、クライアントが意図したウェブページに正確に接続させるために、クライアントが入力するキーワードがリアルネームであり指定キーワードでない場合には、該当キーワードに対応するインターネットアドレスによってクライアントを該当ウェブページに直ちに接続させ、入力されるキーワードが指定キーワードである場合には、キーワードを検索サーバーに提供して、キーワードに該当する複数の検索情報がクライアントに提供されるようにし、クライアントが意図するウェブページを選択して接続することができるようにする。ここで、指定キーワードは、検索サーバーを通じて検索サービス及びショートカットサービスを受けようとするものとして登録されたキーワードであり、ショートカットサービスは、検索情報を提供する検索結果ページ上でキーワードを選択すれば該当ウェブページにクライアントを連結させるサービスを示す。指定キーワードは、例えば、自動車、学校などのような一般名詞、または生活情報と関連する生活情報キーワードであることができる。
【００３１】
また、本発明によるウェブページ接続システムは、一般に、クライアントにネットワーク接続サービスを提供するネームサーバー管理システムと提携して、クライアントが経由したネームサーバー管理システムによってキーワードを提供する検索サーバーを選択する。ここで、ネームサーバー管理システムは、既存のISP（internet Service provider）であったり、専用線を通じてネットワーク接続サービスを提供する各業者の管理システムであることができ、ネットワークアドレスの提供を行うネームサーバーを含む。
【００３２】
図１に本発明の実施例によるリアルネームを利用したウェブページ接続システムの構造が示されている。
【００３３】
図１に示されるように、本発明の実施例によるリアルネームを利用したウェブページ接続システムは、ネットワーク２０を通じて複数のクライアント３１〜３n、３０に連結されている接続仲介システム１０と、ネームサーバー管理システム５１〜５n、５０とを含み、検索サーバー４１〜４n、４０に連結されている。ここで、ネットワークを通じて連結されるというのは物理的な連結に限定されない。
【００３４】
クライアント３０としては、ネットワーク２０を通じて接続仲介システム１０に接続することができる通信装置が利用でき、例えばコンピュータ、無線通信端末機、またはインターネットへの接続が可能なTVなどの通信装置がある。特に、クライアント３０は、ネームサーバー管理システム（internet Service provider）５１〜５n、５０を通じてネットワーク２０上の接続仲介システム１０に連結され、特定のウェブページに接続するためのキーワードをネームサーバー管理システム５０に提供する。
【００３５】
ネームサーバー管理システム５０は、クライアント３０をネットワーク２０に接続させる機能を行い、本発明の実施例では、５２番ネームサーバー管理システムのようにクライアント３０から提供されるキーワードがリアルネームであるか否かを判別するネームサーバー５２１を含むこともでき、５１番ネームサーバー管理システムのようにネームサーバーを含まないこともある。ここで、ネームサーバーは、リアルネームの他にも既存の英文ドメインネームを処理することもできる。
【００３６】
接続仲介システム１０は、英文ドメインネームやリアルネームを利用してインターネット２０上の特定のウェブページに接続しようとするクライアント３０を該当ウェブページに接続させる接続仲介サービスを提供するサイトであって、特に、ネームサーバー管理システム５０を通じて接続するクライアント３０から提供されるキーワードによってクライアント３０を該当ウェブページに直ちに接続させたり、入力されるキーワードを特定の検索サーバーに提供して、クライアント３０がキーワードに対する様々な検索情報の提供を受けて所望のウェブページに接続できるようにする。
【００３７】
そのために、接続仲介システム１０は、リアルネームデータベース１１、キーワードデータベース１２、検索サーバー情報データベース１３、ネームサーバー管理システム情報データベース１４（以下、ネームサーバー情報データベースという）、リアルネームサーバー１５、ドメインネームサーバー１６、及び処理サーバー１７を含む。
【００３８】
リアルネームデータベース１１には、ネットワーク２０上の全てのＩＰアドレスに対応して少なくとも一つ以上のリアルネームが保存され、その他にもそれぞれのリアルネームに対応してＵＲＬ情報が保存されている。例えば、２１０.１０３.１７５.６６というＩＰアドレスに対応してネットピアというリアルネームが保存され、ネットピアに対応してnetpia.netであるＵＲＬ情報が保存されている。
【００３９】
キーワードデータベース１２には、検索サーバー４０を通じて検索及びショートカットサービスを受けるものとして登録された複数の指定キーワードが保存されている。
【００４０】
検索サーバー情報データベース１３には、接続仲介システム１０と業務を提携してクライアント３０が入力したキーワードに対する様々な検索情報を提供しようとする複数の検索サーバーがカテゴリー別に保存されている。例えば、歴史、科学、社会、経済など分野別に高いヒット率を提供する検索サーバー情報（ＵＲＬ情報など）が保存され、分野別に該当するキーワードなどが保存されている。
【００４１】
ネームサーバー情報データベース１４には、インターネット接続サービスを提供する全てのネームサーバー管理システムごとに登録されているＩＰアドレスが保存され、さらに各ネームサーバー管理システムごとに関連性のある検索サーバー情報（ＵＲＬ情報など）が保存されている。例えば、ネームサーバー管理システム業者である韓国通信に対応して韓国通信に登録されている全てのＩＰアドレスが保存され、韓国通信と関連のある検索サイトである“ハンミル”のＵＲＬ“hanmir.co.kr”が保存されている。
【００４２】
このようなデータベース１１〜１４に保存されている情報に基づいて各サーバー１５〜１７が動作し、ドメインネームサーバー１６は、既存の英文ドメインネームを処理して対応するインターネットアドレスを提供する機能を行い、リアルネームサーバー１５は、クライアント３０から提供されたキーワードがリアルネームであるか否かを判断し、リアルネームである場合には、リアルネームデータベース１１から該当ＩＰアドレスを探してクライアント３０に提供する。また、検索サーバー４０からリアルネームのキーワードが提供される場合にも、リアルネームデータベース１１を検索して該当ＩＰアドレスを検索サーバーに提供する。
【００４３】
処理サーバー１７は、クライアント３０から提供されるキーワードに基づいてキーワードデータベース１２を検索し、提供されたキーワードが指定キーワードであるか否かを判別するキーワード判別部１７１と、指定キーワードである場合には、クライアント３０のＩＰアドレスに基づいてネームサーバー情報データベース１４を検索し、クライアント３０がどのネームサーバー管理システムを通じて接続したかを判別し、クライアント３０が経由したネームサーバー管理システムに対応する検索サーバーにキーワードを提供するネームサーバー管理システム判別部１７２（以下、サーバー判別部という）とを含み、この他にも、キーワードに該当するＩＰアドレスに異なるリアルネームが一つ以上対応している場合、つまり該当ＩＰアドレスがリアルＩＰでない場合には、キーワードに対応するＵＲＬ情報によってクライアント３０を該当ウェブページに連結させたり、検索サーバー４０にＵＲＬ情報を提供する連結処理部１７３を含む。
【００４４】
本実施例では、各処理サーバーの判別部、サーバー判別部、連結処理部などが独立的なサーバーとして実現される。次は、このような構造からなる本発明の実施例によるリアルネームを利用したウェブページ接続システムの動作について詳細に説明する。
【００４５】
本発明の実施例では、クライアント３０がインターネットに接続するためのブラウザーを駆動する前にインターネット接続環境設定プログラムなどを実行して、ＩＰアドレス確認サービスを提供するサーバーとしてネームサーバー管理システム５２のネームサーバー５２１を設定した場合を例に挙げて説明する。この場合には、一般に使われるドメインネームサーバーのＩＰアドレスを予めバックアップしておいて、クライアント３０のインターネット接続環境設定プログラムの終了と共に復帰するようにし、クライアント３０の基本的な使用にいかなる変化も生じさせないのが好ましい。
【００４６】
図２a及び図２bに本発明の実施例によるリアルネームを利用したウェブページ接続システムの動作が順に示されている。
【００４７】
添付した図２aに示されているように、使用者がクライアント３０でインターネットへの接続のためのウェブブラウザー（一般的なネスケープなどのウェブブラウザー及び接続仲介システムが提供したウェブページ接続専用プログラムなど）または電子メールプログラムなどを駆動させた後に、ブラウザー上の接続入力ウィンドウにキーワードを入力すれば、入力されたキーワードはネームサーバー管理システム５２のネームサーバー５２１に提供される（Ｓ１００）。
【００４８】
ネームサーバー管理システム５２のネームサーバー５２１は、クライアント３０から提供されるキーワードがリアルネームであるか否かを判断する（Ｓ１１０）。例えば、入力されたキーワードに“netpia.net”のように識別字である“.”が含まれている場合には、入力されたキーワードが既存のドメインネームであると判断して既存のドメインネーム処理を行う（Ｓ１２０）。
【００４９】
一方、前記段階Ｓ１１０で入力されたキーワードに識別字である“.”が含まれていない場合には、ネームサーバー５２１は、入力されたキーワードがリアルネームであると判断し、入力されたキーワードを接続仲介システム１０に提供して、対応するＩＰアドレスを要請する（Ｓ１３０）。この時、ネームサーバー管理システム５２のネームサーバー５２１は、クライアント３０のＩＰアドレスと共にキーワードを接続仲介システム１０に提供する。ここでは、キーワードに“.”が含まれているか否かによって該当キーワードがリアルネームであるか否かを判断しているが、本発明によるリアルネームの判断方法はこれに限定されない。
【００５０】
接続仲介システム１０の処理サーバー１７は、ネームサーバー管理システム５２から提供されたキーワードが指定キーワードであるか否かによって、対応するＩＰアドレスをネームサーバー管理システム５２に提供したり、キーワードを検索サーバー４０に提供する。
【００５１】
まず、処理サーバー１７のキーワード判別部１７１は、ネームサーバー管理システム５２から提供されたキーワードがキーワードデータベース１２に保存されているか否かを判断し（Ｓ１４０）、該当キーワードがキーワードデータベース１２に保存されていない場合には、指定キーワードではないと判断して、リアルネームデータベース１１を検索しキーワードに対応するＩＰアドレスを探してネームサーバー管理システム５２に提供する。これにより、ネームサーバー管理システム５２のネームサーバー５２１が接続仲介システム１０から提供されたＩＰアドレスをクライアント３０に提供して、クライアント３０はＩＰアドレスに該当するウェブページに接続する（Ｓ１５０〜Ｓ１７０）。
【００５２】
一方、処理サーバー１７のキーワード判別部１７１は、前記段階Ｓ１４０でキーワードがキーワードデータベース１２に保存されている場合には、指定キーワードであると判断して、キーワードを提供する検索サーバーを選択する。つまり、サーバー判別部１７２は、クライアント３０のＩＰアドレスに基づいてネームサーバー情報データベース１４を検索し、クライアント３０がどのネームサーバー管理システムを通じて接続しているかを確認して、確認結果によってキーワードをどの検索サーバーに提供するかを設定する。
【００５３】
ネームサーバー情報データベース１４からクライアント３０のＩＰアドレスに対応するネームサーバー管理システムを確認し、該当ネームサーバー管理システムに対応する検索サーバーを選択して、クライアント３０が入力したキーワードを選択された検索サーバー４０に提供する（Ｓ１８０〜Ｓ２００）。
【００５４】
検索サーバー４０は、接続仲介システム１０からキーワードが提供されれば、ネットワーク２０に連結されている複数のサーバーから該当キーワードを含む情報を収集し、その収集結果とキーワードとに基づいて検索結果ページを作成して、クライアント３０に提供する（Ｓ２１０〜Ｓ２２０）。
【００５５】
例えば、ネームサーバー管理システム５２のネームサーバー５２１から提供されたキーワードが“特許庁”のような固有名詞で指定キーワードでない場合には、“特許庁”に該当するＩＰアドレスをネームサーバー管理システム５２のネームサーバー５２１に提供し、クライアント３０が“特許庁”に該当するウェブページに直ちに接続できるようにする。しかし、クライアント３０が入力したキーワードが“自動車”のような一般名詞で指定キーワードである場合には、クライアント３０が“韓国通信”のネームサーバー管理システムを通じて接続した場合には、クライアントが入力した“自動車”を“韓国通信”と関連のある“ハンミル”という検索サイトを運営する検索サーバーに提供し、検索サーバーは、“自動車”に該当する様々な情報を収集した後で、次のように“自動車”に該当するショートカットタグ（tag）と共に収集した情報を検索結果ページ上で提供する。この時、検索サーバーは、複数の広告サーバー（図示せず）から提供された広告を検索結果ページ上で提供して、ネームサーバー管理システムを通じて接続する複数のクライアントに対して広告マーケティングを行うこともできる。
【表１】
2005503613.tif 000003
【００５６】
したがって、クライアント３０は、検索サーバー４０から提供される検索結果ページ上でキーワードに該当する様々な情報を閲覧することができ、必要によってはキーワードタグをクリックして該当するウェブページに接続することもできる。
【００５７】
クライアント３０が検索結果ページ上のキーワードをクリックすると、添付の図２bに示すように、検索サーバー４０は、接続仲介システム１０にキーワードに該当するインターネットアドレス（ＩＰアドレス、ＵＲＬ情報）を要請し、これにより、接続仲介システム１０のリアルネームサーバー１５は、リアルネームデータベース１１を検索しキーワードに対応するＩＰアドレスがリアルＩＰである場合には、該当ＩＰアドレスを検索サーバー４０に提供して、検索サーバー４０は、再びＩＰアドレスをクライアント３０に提供してクライアント３０がキーワードに該当するウェブページに接続するようにする（Ｓ２３０〜Ｓ２９０）。
【００５８】
一方、キーワードに対応するＩＰアドレスがリアルＩＰではない場合、つまりキーワードに対応するＩＰアドレスに異なるリアルネームが少なくとも一つ以上対応している場合には、処理サーバー１７の連結処理部１７３がキーワードに対応するＵＲＬ情報を検索サーバー４０に提供して、これにより、検索サーバー４０は、クライアント３０をＵＲＬ情報に該当するウェブページに連結させる（Ｓ３００〜Ｓ３１０）。
【００５９】
このような本発明の実施例によれば、クライアントはリアルネームであるキーワードを利用して該当ウェブページに直ちに接続することができ、また別途に検索サーバーに接続しないでもキーワードに該当する様々な情報の提供が受けられるので、クライアントは所望のウェブページに最少の段階を経て正確に接続することができる。
【００６０】
前述した実施例では、クライアントがネームサーバーとしてネームサーバー管理システムのネームサーバーを設定した場合について説明したが、これとは異なって、クライアントがネームサーバーとして接続仲介システムのリアルネームサーバーを設定することもできる。
【００６１】
このような場合には、クライアントが入力したキーワードが直ちに接続仲介システム１０に提供され、接続仲介システム１０のリアルネームサーバー１５は、キーワードがリアルネームであるか否かを判断して、該当キーワードがリアルネームである場合には、前述したように処理サーバー１７が提供されたキーワードが指定キーワードであるか否かによってクライアント３０を該当ウェブページに連結させたり、検索サーバー４０を通じてクライアント３０にキーワードに該当する検索結果ページを提供する。
【００６２】
図３に本発明の他の実施例によるリアルネームを利用したウェブページ接続システムの構造が示されている。
【００６３】
添付した図３に示されているように、本発明の他の実施例によるリアルネームを利用したウェブページ接続システムでは、ネーム管理システム５０が接続仲介の機能を行うためにリアルネームデータベース５０１、キーワードデータベース５０２、検索サーバー情報データベース５０３、ネームサーバー情報データベース５０４、リアルネームを処理するリアルネームサーバー５０５、既存のドメインネームを処理するドメインサーバー５０６、及び処理サーバー５０７を全て含み、クライアント１０からキーワードが入力されれば、指定キーワードであるか否かを判断して、判断の結果によって前述のようにウェブページへの接続動作を行う。
【００６４】
この場合には、前述の実施例のように、ネームサーバー管理システムが、入力されたキーワードがリアルネームである場合には、接続仲介システムにキーワードを提供せずに自分で処理して、クライアントを該当ウェブページに接続させたり、検索サーバーにキーワードを提供して、検索情報がクライアントに提供されるようにする。
【００６５】
具体的に、クライアント３０がネームサーバーとしてネーム管理システム５０のリアルネームサーバー５０５を指定し、クライアント３０から入力されたキーワードがネーム管理システム５０のリアルネームサーバー５０５に提供され、キーワードがリアルネームでない場合にはドメインネームサーバー５０６が処理し、リアルネームである場合には入力されたキーワードが処理サーバー５０７に提供される。その後の処理サーバー５０７の各キーワード判別部５０７１、サーバー識別部５０７２、連結処理部５０７３の動作は前述した実施例と同様であるため詳細な説明は省略する。
【００６６】
一方、クライアント３０が他のネームサーバー管理システムを通じてネットワークへの接続サービスの提供を受けながら、ネームサーバーとして前述したような構造からなるネームサーバー管理システム５０のリアルネームサーバー５０５を指定することもできるので、処理サーバー５０７のサーバー識別部５０７２は、クライアント３０が経由したネームサーバー管理システムを判別し、判別結果によって前述したように検索サーバー４０を選択することもできる。
【００６７】
このような本発明の実施例では、クライアントが経由したネームサーバー管理システムによって適切な検索サーバーを選択したが、クライアントが入力したキーワードによって検索サーバーを選択することもできる。つまり、該当キーワードが属する分野によって最適のヒット率を提供する検索サーバーを選択する。例えば、入力されたキーワードがコンピュータ関連用語である場合には、コンピュータに関する情報を主に検索する検索サーバーを選択してキーワードを提供し、入力されたキーワードが経済関連用語である場合には、経済に関する情報を主に検索する検索サーバーを選択してキーワードを提供する。したがって、使用者は別途に検索サーバーを指定しなくても最適の検索サーバーを通じて探そうとする情報の提供を正確に受けることができる。
【００６８】
このように、本発明の実施例によるリアルネームを利用したウェブページ接続システムでは、クライアント上のウェブブラウザー等から入力されるキーワードに対して検索及びウェブページ接続サービスを提供したが、これに限定されず、さらに様々な方法でキーワードを提供する場合にも同様に検索及びウェブページ接続サービスを提供する。
【００６９】
具体的に、クライアントが接続仲介システムのホームページに接続してからホームページ上でキーワードを入力した場合、クライアントが接続仲介システムとキーワード処理業務を提携したサイトに接続して提携サイトの入力ウィンドウにキーワードを入力した場合、ネームサーバー管理システムサイトに接続してキーワードを入力した場合、そしてクライアント自体に設置されているアプリケーションプログラムがキーワード入力動作をチェックして入力されたキーワードを提供した場合にも、上記と同様に検索及びウェブページ接続サービスが行われる。また、クライアントが無線端末機である場合にも、前述のような検索及びウェブページ接続サービスが提供され、この場合には、ネームサーバー管理システムが無線通信サービスを提供する無線通信業者（例えば、０１１、０１８など）のシステムとなることができ、このシステムも接続仲介システムが提供するネームサーバーを含み、キーワードがリアルネームであるか否かを判断する機能を行うことができる。
【００７０】
一方、クライアントが、ネームサーバーとしてネットワーク接続機能を提供するネームサーバー管理システムではなく他のネームサーバー管理システムのネームサーバーを指定することもでき、この場合にも前述の実施例と同様の検索及びウェブページ接続サービスが提供される。例えば、“韓国通信”を通じてネットワークへの接続を行うクライアントが“デイコム”というネームサーバーをインターネットアドレスの提供を受けようとするネームサーバーとして設定しても、同様の検索及びウェブページ接続サービスが行われる。
【００７１】
また、本発明の実施例において、接続仲介システムは、自身を通じて検索サーバーに接続するクライアントの接続回数を検索サーバー別に記録して、後に接続回数によって検索サーバー別に仲介手数料などを請求することができる。
【００７２】
このように、本発明の実施例によれば、クライアントが自身のネームサーバー管理システムネームサーバーを使用せずに、他の特定のネームサーバーを指定してウェブページ接続サービスを受けることができ、この時、ネームサーバーは指定値（キーワード）を特定のサイトや検索サイトに提供することができる。したがって、検索サイトは、ネームサーバーが指定値を提供した分だけページビューやバナークリックなどの回数が多くなるので、これに対する費用をネームサーバー運営側に支払って利益を互いに共有することができる。
【００７３】
この場合、ネームサーバー運営側では、指定値の使用統計をデータベース化してクライアントに指定値を使用した比率の分の一定費用を支給することができ、これにより、使用者がインターネットを利用するのにあたって必須であるネームサーバーを使用さえすれば一定の所得が得られ、ドメインネームをＩＰアドレスに変換するネームサーバーを通じて特定の検索ページや特定のページに連結させる新たなトラフィックを発生させることができる。
【００７４】
この他にも、本発明による実施例では、検索サーバーがクライアントから入力されたキーワードに係わりがあり、ショートカットサービスが受けられる複数のキーワードを検索結果ページ上で共に提供することにより、使用者がより多様なキーワードを選択して該当ウェブページに接続することができるようにする。
【００７５】
そして、本発明の実施例によるリアルネームを利用したウェブページ接続システムは、ＷＷＷ（world wide web）の他にも、インターネットを通じてサービスされるＥメール、ＦＴＰ（file transfer protocol）、テレネット（telnet）などにも適用できる。また、本発明によるウェブページ接続システムは、インターネットに限定されず、様々なネットワーク上で適用される。
【００７６】
以上、本発明の実施例について説明したが、本発明は前記実施例に限定されるものではなく、様々な変形や変更が可能である。
【図面の簡単な説明】
【００７７】
【図１】本発明の実施例によるリアルネームを利用したウェブページ接続システムの構造を示すブロック図である。
【図２ａ】本発明の実施例によるリアルネームを利用したウェブページ接続システムの動作を順に示すフローチャートである。
【図２ｂ】本発明の実施例によるリアルネームを利用したウェブページ接続システムの動作を順に示すフローチャートである。
【図３】本発明の他の実施例によるリアルネームを利用したウェブページ接続システムの構造を示すブロック図である。
【図１】
2005503613.tif 000004
【図２ａ】
2005503613.tif 000005
【図２ｂ】
2005503613.tif 000006
【図３】
2005503613.tif 000007
【国際公開パンフレット】
2005503613.tif 000008
2005503613.tif 000009
2005503613.tif 000010
2005503613.tif 000011
2005503613.tif 000012
2005503613.tif 000013
2005503613.tif 000014
2005503613.tif 000015
2005503613.tif 000016
2005503613.tif 000017
2005503613.tif 000018
2005503613.tif 000019
2005503613.tif 000020
2005503613.tif 000021
2005503613.tif 000022
2005503613.tif 000023
2005503613.tif 000024
2005503613.tif 000025
2005503613.tif 000026
2005503613.tif 000027
2005503613.tif 000028
2005503613.tif 000029
2005503613.tif 000030
2005503613.tif 000031
2005503613.tif 000032
2005503613.tif 000033
2005503613.tif 000034
2005503613.tif 000035
2005503613.tif 000036
2005503613.tif 000037
2005503613.tif 000038
2005503613.tif 000039
2005503613.tif 000040
【手続補正書】
【提出日】平成15年11月24日(2003.11.24)
【手続補正１】
【補正対象書類名】特許請求の範囲
【補正対象項目名】全文
【補正方法】変更
【補正の内容】
【特許請求の範囲】
【請求項１】
ネットワークを通じて複数のクライアントと連結されており、前記ネットワーク上の特定のウェブページにクライアントを接続させるウェブページ接続システムにおいて、
指定キーワードが保存されているキーワードデータベース；
ネットワークアドレス及びリアルネームが互いにマッチングされて保存されているリアルネームデータベース；
前記クライアントから入力されるキーワードがリアルネームであり指定キーワードである場合には、一つの検索サーバーに前記キーワードを提供して、前記検索サーバーがキーワードに該当する検索情報をクライアントに提供するようにする処理サーバー；
前記キーワードがリアルネームであり指定キーワードではない場合には、前記キーワードに基づいて前記リアルネームデータベースを検索して対応するネットワークアドレスを探し、前記ネットワークアドレスを前記クライアントに提供して、前記クライアントが前記ネットワークアドレスに該当するウェブページに接続するようにするリアルネームサーバー；を含み、
前記検索サーバーは、前記キーワードに該当する検索情報とともに前記キーワードを表わす検索結果ページを前記クライアントに提供し、前記クライアントが前記キーワードをクリックすれば、前記リアルネームサーバーにネットワークのアドレスを要請し、前記リアルネームサーバーは、前記リアルネームデータベースから前記キーワードに対応するネットワークのアドレスを探して検索サーバーに提供して、前記クライアントがネットワークアドレスに該当するウェブページに接続するようにすることを特徴とするウェブページ接続システム。
【請求項２】
ネットワークを通じて複数のクライアントと連結されており、ネームサーバー管理システムを通じて接続するクライアントをネットワーク上の特定のウェブページに接続させるウェブページ接続システムにおいて、
指定キーワードが保存されているキーワードデータベース；
ネットワークアドレス及びリアルネームが互いにマッチングされて保存されているリアルネームデータベース；
ネームサーバー管理システム別に検索サーバー情報が保存されているネームサーバー管理システムデータベース；
前記クライアントから入力されるキーワードがリアルネームであり指定キーワードである場合には、前記ネームサーバー管理システムデータベースから前記クライアントが経由したネームサーバー管理システムに対応する検索サーバーを選択し、前記選択された検索サーバーに前記キーワードを提供して、前記検索サーバーがキーワードに該当する検索情報をクライアントに提供するようにする処理サーバー；
前記キーワードがリアルネームであり指定キーワードでない場合には、前記キーワードに基づいて前記リアルネームデータベースを検索して対応するネットワークアドレスを探し、前記ネットワークアドレスを前記クライアントに提供して、前記クライアントが前記ネットワークアドレスに該当するウェブページに接続するようにするリアルネームサーバー；を含む、ウェブページ接続システム。
【請求項３】
前記ネームサーバー管理システムは、クライアントから入力されるキーワードがリアルネームであるか否かを判断するネームサーバーを含み、前記ネームサーバーは、入力されるキーワードがリアルネームである場合には、前記キーワードを前記処理サーバーに提供する、請求項２に記載のウェブページ接続システム。
【請求項４】
前記処理サーバーは、クライアントのＩＰアドレスによって前記クライアントが経由したネームサーバー管理システムを判別し、判別されたネームサーバー管理システムに対応する検索サーバーに指定キーワードを提供する、請求項２に記載のウェブページ接続システム。
【請求項５】
前記検索サーバーは、前記キーワードに該当する検索情報と共に前記キーワードを示す検索結果ページを前記クライアントに提供して、前記クライアントが前記キーワードをクリックすれば、前記リアルネームサーバーにネットワークアドレスを要請し、
前記リアルネームサーバーは、前記リアルネームデータベースから前記キーワードに対応するネットワークアドレスを探して検索サーバーに提供して、前記クライアントがネットワークアドレスに該当するウェブページに接続するようにすることを特徴とする、請求項２に記載のウェブページ接続システム。
【請求項６】
前記処理サーバーは、ネットワークを通じて接続するクライアントにキーワード入力ウィンドウを提供し、前記キーワード入力ウィンドウを通じて前記クライアントからキーワードが入力されれば、前記キーワードをリアルネームサーバーに提供して、リアルネームであるか否かを判断させる、請求項１または請求項２に記載のウェブページ接続システム。
【請求項７】
前記クライアントは、キーワード入力動作をチェックし、入力されたキーワードを前記処理サーバーに提供するアプリケーションプログラムを含む、請求項１または請求項２に記載のウェブページ接続システム。
【請求項８】
前記クライアントは、ウェブブラウザーを通じて前記処理サーバーにキーワードを提供する、請求項１または請求項２に記載のウェブページ接続システム。
【請求項９】
ネットワークを通じて複数のクライアント及び検索サーバーと連結されており、ネームサーバー管理システムを通じて接続するクライアントをネットワーク上の特定のウェブページに接続させるシステムのウェブページ接続方法において、
前記クライアントから入力されるキーワードがリアルネームであるか否かを判断する第１段階；
前記キーワードがリアルネームである場合には、指定キーワードであるか否かを判断する第２段階；
前記キーワードが指定キーワードである場合には、複数の検索サーバーのうちの一つの検索サーバーに前記キーワードを提供して、前記検索サーバーがキーワードに該当する検索情報を前記クライアントに提供するようにする第３段階；及び
前記キーワードが指定キーワードでない場合には、前記キーワードに対応するＩＰアドレスを前記クライアントに提供して、前記クライアントがＩＰアドレスに該当するウェブページに接続するようにする第４段階；を含む、ウェブページ接続方法。
【請求項１０】
前記クライアントが経由したネームサーバー管理システムを判別する第５段階をさらに含み、
前記第３段階で、前記クライアントが経由したネームサーバー管理システムに対応する検索サーバーに前記キーワードを提供することを特徴とする、請求項９に記載のウェブページ接続方法。
【請求項１１】
前記第５段階は、クライアントのＩＰアドレスによって前記クライアントが経由したネームサーバー管理システムを判別することを特徴とする、請求項９に記載のウェブページ接続方法。
【国際調査報告】
2005503613.tif 000041